(57)【要約】【課題】  クリア（可視的な）パイプを使用することで、オーバーフロー方式の装置に比して、小型化・軽量化・設置簡便化に対応し、動力不要の、さらに水面の新水でなく、底辺に停留する旧水を効率的に自動排水し、全体換水を可能にすることができる自動排水装置とその構造を提供する。【解決手段】  オーバーフロー方式の装置に比して、小型化・軽量化・設置簡便化に対応することができる。また、電動力も不要で、甚だ経済的である。更に水面の新水でなく、底辺に停留する旧水を効率的に自動排水することができる。【選択図】図１
0003176232.tif 000002
【実用新案登録請求の範囲】
【請求項１】
クリア（可視的な）パイプを使用することによる、主として観賞魚用の水槽の、新水の垂れ流し方式に関わり、動力不要で、水位を変えることなく自動的に旧水を、特に底辺から排水し、水槽全体の換水を容易にすることを特徴とする自動排水装置。
【請求項２】
図１の１・２・３のように円形状の形態を３箇所、有し、１・２・３それぞれの上下および左右の間隔は、適宜バランスの取れるような形態が望まれ、パイプの内径は水槽の容量に応じたものであることを特徴とする自動排水装置の構造。
【考案の詳細な説明】
【技術分野】
【０００１】  本考案は、主として水槽の、新水の垂れ流し方式に関わり、水位を変えることなく自動的に旧水を、特に底辺から排水し、水の交換を容易にする装置とその構造に関する。
【背景技術】
【０００２】  従来の換水装置は、ほとんどオーバーフローによるもので、水槽の底に穴を開けるなど大掛かりなものであった。【０００３】  また、汚れた水は下の方に停留しやすいが、前記装置では水面の水から排水されるので、全体を新水にするための換水効率は決して良いとは言えないものであった。
【考案の開示】
【考案が解決しようとする課題】
【０００４】  そこで、オーバーフロー等による大掛かりな装置でなく、換水に便利な簡単な、しかもだれでもすぐに設置できる装置を提供することである。
【課題を解決する手段】
【０００５】  本考案の自動排水装置とその構造は、主として観賞魚用の水槽の、新水の垂れ流し方式に関わり、水位を変えることなく自動的に旧水を、特に底辺から排水し、水槽全体の水の交換を容易にするクリア（可視的な）パイプ状のものであることを特徴とする。
【０００６】  また、本考案は、前記のオーバーフロー装置が専門家に依頼する必要があるのに対して、クリア（可視的な）パイプ状のものであるので、だれでもすぐに設置できることを特徴とする。
【０００７】  また、汚れた旧水は下方に停留しやすいが、本考案は、前記装置が水面上の水から排水される点で非効率な装置と言わざるを得ないものであるのに対して、底辺の水から排水するので、前記装置に比して甚だ効率的であることを特徴とする。
【考案を実施するための形態】
【０００８】  以下、本考案の自動排水装置の実施とその構造の一形態について、図面を参照して説明する。
【０００９】  図１は、本考案の自動排水装置とその構造の斜視図である。図２は、本考案の自動排水装置とその構造の右側面図である。図３は、自動排水装置とその構造の左側面図である。
【００１０】  図１の１・２・３のように円形状の形態を３箇所、有する自動排水装置とその構造である。図１の５の部分は可動式で、４に差し込むことができ、上下に動きうるものである。
【００１１】  なお、図１の円形状２・３の向きは一例で、反対向きでも一向に差し支えないものである。
【００１２】  また、図１の円形状２の部分は図１では１から２への部分の外側に位置しているが、１の外側でなく内側に位置しても全く差し支えないものである。
【００１３】  さらに、図１の５の可動部分は一例で、可動式にせず４部分をそのまま延長させて一体化することも可能である。
【００１４】  図１の１・２・３それぞれの上下の間隔および左右の間隔は、適宜バランスの取れるような形態が望ましいものである。が、１と２の上下の間隔は、おおむね５０〜７０ｍｍほどが望まれるものである。
【００１５】  また、パイプの内径はおおむね１３〜１６ｍｍほどが望まれるものである。
【実施例】
【００１６】  以下に、実施例について説明する。【００１７】  自動排水装置を水中に入れパイプの中に水を満たし、直立させて静かに持ち上げ、パイプの２から排水出口部分の水を抜いてから、パイプの５部分の下の穴を指の腹で押さえ、パイプを直立させたまま持ち上げ、図１の２・３部分が水槽の外側に来るようにし水槽の壁に差し込み、図１の１部分の下部が水槽の壁の上端につくようにする。【００１８】  指の腹の押さえをゆっくりはずすと完成である。後は、排水出口の端をホースなどに接続して、所定の場所に流れるようにしても良い。【００１９】  自動排水装置の排水能力の範囲内で、水道管から直接、またはホースを利用して注水する。水量を細くして注水すれば、カルキや水温差などは全く問題にならないほどであり、その場にいなくても徐々に換水することができ、すこぶる便利である。
【図面の簡単な説明】
【図１】本考案の自動排水装置とその構造の、斜視図である。
【図２】本考案の自動排水装置とその構造の、右側面図である。
【図３】本考案の自動排水装置とその構造の、左側面図である。
【符号の説明】１……自動排水装置とその構造の、最上端部
２……自動排水装置とその構造の、排水出口付近の上端部
３……自動排水装置とその構造の、出口付近の低端部
４……自動排水装置とその構造の、排水入り口付近
５……自動排水装置とその構造の、排水入り口付近の差し込み部
【図１】
0003176232.tif 000003
【図２】
0003176232.tif 000004
【図３】
0003176232.tif 000005
【手続補正書】
【提出日】平成24年3月14日(2012.3.14)
【手続補正１】
【補正対象書類名】実用新案登録請求の範囲
【補正対象項目名】全文
【補正方法】変更
【補正の内容】
【実用新案登録請求の範囲】
【請求項１】
クリアパイプを使用することによる、観賞魚用の水槽の、垂れ流し方式に関わり、動力不要で、水位を変えることなく自動的に旧水を、底辺から排水し、水槽全体の換水を容易にする自動排水装置において、
前記クリアパイプは、水槽の底辺の旧水を吸い込む排水入口部と、それぞれ略半円形状の形態を有する第１の曲がり部、第２の曲がり部、第３の曲がり部からなる３箇所の曲がり部と、排水出口部からなり、
水槽の底辺の旧水は、前記排水入口部、前記第１の曲がり部、前記第３の曲がり部、前記第２の曲がり部の順に通って前記排水出口部から排出されるようになっており、
前記排水入口部と前記第１の曲がり部とは略直線的なパイプでつながるとともに、前記第１の曲がり部は前記クリアパイプを水槽に差し込んだときにその曲がり部の下部が水槽の壁の上端につく位置になるように配置され、
前記第２の曲がり部は、前記第１の曲がり部から略５０〜７０ｍｍの長さで前記排水入口部側の位置に配置され、
前記第３の曲がり部は、前記第２の曲がり部よりも更に前記排水入口部側の位置に配置されることを特徴とする自動排水装置。
【請求項２】
前記排水入口部に、直線状で可動式であって前記排水入り口部に差し込むことができ、上下に動きうるパイプが設けられていることを特徴とする請求項１記載の自動排水装置。
【手続補正４】
【補正対象書類名】明細書
【補正対象項目名】００１５
【補正方法】変更
【補正の内容】
【００１５】  また、パイプの内径は水槽の容量に応じておおむね１３〜１６ｍｍほどが望まれるものである。